(57)【要約】【課題】静粛性が図れるプロジェクターを提供する。【解決手段】プロジェクター１は、吸気口を有する外装筐体と、吸気口を介して外装筐体に空気を導入する吸気装置４とを備える。吸気装置４は、空気を吸い込む吸込口４１Ａ，４２Ａ、及び空気を吹き出す吹出口４１Ｂ，４２Ｂを有する吸気ファン４１，４２と、吸気口を介して導入された空気を吸気ファン４１，４２に導く吸気ダクト４３とを備える。吸気ダクト４３は、樹脂発泡体で構成されている。【選択図】図５
2012198462.tif 000002
【特許請求の範囲】
【請求項１】
吸気口を有する外装筐体と、前記吸気口を介して前記外装筐体に空気を導入する吸気装置とを備えたプロジェクターであって、
前記吸気装置は、
空気を吸い込む吸込口、及び空気を吹き出す吹出口を有する吸気ファンと、
前記吸気口を介して導入された空気を前記吸気ファンに導く吸気ダクトとを備え、
前記吸気ダクトは、
樹脂発泡体で構成されている
ことを特徴とするプロジェクター。
【請求項２】
請求項１に記載のプロジェクターにおいて、
前記吸気ダクト内部に形成される空気の流路は、
前記吸気口から前記吸込口までの間で少なくとも一度、折れ曲がっている
ことを特徴とするプロジェクター。
【請求項３】
請求項１または請求項２に記載のプロジェクターにおいて、
前記吸気口は、
前記吸込口に対向する位置からずれた位置に形成されている
ことを特徴とするプロジェクター。
【請求項４】
請求項１から請求項３のいずれかに記載のプロジェクターにおいて、
前記外装筐体は、
非発泡体で構成されている
ことを特徴とするプロジェクター。
【請求項５】
排気口を有する外装筐体と、前記排気口を介して前記外装筐体内部の空気を外部に排出する排気装置とを備えたプロジェクターであって、
前記排気装置は、
空気を吸い込む吸込口、及び空気を吹き出す吹出口を有する排気ファンと、
前記吹出口から吹き出された空気を前記排気口に導く排気ダクトとを備え、
前記排気ダクトは、
樹脂発泡体で構成されている
ことを特徴とするプロジェクター。
【請求項６】
請求項５に記載のプロジェクターにおいて、
前記排気ダクトには、
前記排気ダクトを介して排気される空気を整流するルーバーが取り付けられ、
前記ルーバーは、
非発泡体で構成されている
ことを特徴とするプロジェクター。
【発明の詳細な説明】
【技術分野】
【０００１】
本発明は、プロジェクターに関する。
【背景技術】
【０００２】
従来、プロジェクターにおいて、外装筐体の吸気口を介して外気を導入する吸気装置や、外装筐体の排気口を介して外装筐体内部の空気を外部に排出する排気装置を設けることが一般的である（例えば、特許文献１参照）。
具体的には、吸気装置は、吸気ファンと、吸気口を介して外装筐体に導入された空気を吸気ファンに導く吸気ダクトとを備える。
また、排気装置も同様に、排気ファンと、排気ファンから吐出された空気を排気口に導く排気ダクトとを備える。
【先行技術文献】
【特許文献】
【０００３】
【特許文献１】特開２００４−１３８９１１号公報
【発明の概要】
【発明が解決しようとする課題】
【０００４】
しかしながら、特許文献１に記載されているような吸気装置では、吸気ファンの駆動時に生じる音（ファンノイズ）が吸気ダクト内面を反射しながら吸気口を介して外装筐体外部に漏れてしまい、プロジェクターの静粛性が図れない。なお、排気装置も同様である。
【０００５】
本発明の目的は、静粛性が図れるプロジェクターを提供することにある。
【課題を解決するための手段】
【０００６】
本発明のプロジェクターは、吸気口を有する外装筐体と、前記吸気口を介して前記外装筐体に空気を導入する吸気装置とを備えたプロジェクターであって、前記吸気装置は、空気を吸い込む吸込口、及び空気を吹き出す吹出口を有する吸気ファンと、前記吸気口を介して導入された空気を前記吸気ファンに導く吸気ダクトとを備え、前記吸気ダクトは、樹脂発泡体で構成されていることを特徴とする。
【０００７】
本発明では、吸気ダクトが合成樹脂素材に多数の発泡セル（気泡）を含ませた樹脂発泡体で構成されているので、吸気ファンの駆動時に生じる音の少なくとも一部は、吸気ダクト内面で反射することなく、多数の発泡セルを介して吸気ダクトを透過することとなる。
したがって、吸気口を介して外装筐体外部に漏れる音を低減することができ、プロジェクターの静粛性が図れる。
【０００８】
本発明のプロジェクターでは、前記吸気ダクト内部に形成される空気の流路は、前記吸気口から前記吸込口までの間で少なくとも一度、折れ曲がっていることが好ましい。
本発明では、吸気ダクト内部の流路が上述したように折れ曲がっているため、吸気ファンの駆動時に吸込口から吸気ダクト内部に放出される音を、吸気ダクト内面の多くの領域にあてることが可能となる。
したがって、吸気ダクト内部から外部に向う音（吸気口とは別の位置に向う音）を多くすることができ、吸気口を介して外装筐体外部に漏れる音をより低減することができる。
【０００９】
本発明のプロジェクターでは、前記吸気口は、前記吸込口に対向する位置からずれた位置に形成されていることが好ましい。
本発明では、吸気口が上述した位置に形成されているので、吸気ファンの駆動時に吸込口から吸気ダクト内部に放出され、吸気ダクトを透過した音が吸気口に向うことがなく、吸気ダクト内部の音を上述したように外部に出すことでプロジェクターの静粛性が効果的に図れる。
【００１０】
本発明のプロジェクターでは、前記外装筐体は、非発泡体で構成されていることが好ましい。
本発明では、外装筐体が非発泡体で構成されているので、吸気ファンの駆動時に吸込口から吸気ダクト内部に放出され、吸気ダクトを透過した音を外装筐体内面で反射させることができる。
したがって、外装筐体外部に漏れる音をさらに低減することができ、プロジェクターの静粛性が効果的に図れる。
【００１１】
本発明のプロジェクターでは、排気口を有する外装筐体と、前記排気口を介して前記外装筐体内部の空気を外部に排出する排気装置とを備えたプロジェクターであって、前記排気装置は、空気を吸い込む吸込口、及び空気を吹き出す吹出口を有する排気ファンと、前記吹出口から吹き出された空気を前記排気口に導く排気ダクトとを備え、前記排気ダクトは、樹脂発泡体で構成されていることを特徴とする。
本発明では、排気ダクトが上記吸気ダクトと同様に樹脂発泡体で構成されているので、上記同様に、排気ファンから排気ダクト内部に放出された音を排気ダクト外部に出すことができ、排気口を介して外装筐体外部に漏れる音を低減することができる。
したがって、プロジェクターの静粛性が図れる。
【００１２】
本発明のプロジェクターでは、前記排気ダクトには、前記排気ダクトを介して排気される空気を整流するルーバーが取り付けられ、前記ルーバーは、非発泡体で構成されていることが好ましい。
本発明では、ルーバーが非発泡体で構成されているので、排気ファンの駆動時に吹出口から排気ダクト内部に放出され、排気口に向う音をルーバーで反射させることができる。
したがって、外装筐体外部に漏れる音をさらに低減することができ、プロジェクターの静粛性が効果的に図れる。
【図面の簡単な説明】
【００１３】
【図１】本実施形態におけるプロジェクターの外観を示す斜視図。
【図２】本実施形態におけるプロジェクターの外観を示す斜視図。
【図３】本実施形態におけるプロジェクターの内部構成を示す斜視図。
【図４】本実施形態における吸気装置の構成を示す斜視図。
【図５】本実施形態における吸気装置の構成を示す斜視図。
【図６】本実施形態における吸気装置の構成を示す斜視図。
【図７】実施例及び比較例の評価方法を説明するための図。
【発明を実施するための形態】
【００１４】
以下、本発明の実施の一形態を図面に基づいて説明する。
〔プロジェクターの外観構成〕
図１及び図２は、プロジェクター１の外観を示す斜視図である。具体的に、図１はプロジェクター１を前面上側から見た斜視図であり、図２は背面下側から見た斜視図である。
なお、以下では、プロジェクター１において投射側（投射レンズ３Ａ（図１））が配置された側）を前面とし、その反対側を背面とする。また、以下で記載する「上」、「下」は、図１に示す姿勢でプロジェクター１が設置された状態での上下に相当するものである。
プロジェクター１は、画像を投射してスクリーン（図示略）上に投影画像を表示する。
このプロジェクター１は、図１または図２に示すように、外装を構成する外装筐体２を備える。
【００１５】
外装筐体２は、図１または図２に示すように、アッパーケース２Ａ、及びロアーケース２Ｂを組み合わせることで構成され、略直方体形状を有する。
この外装筐体２において、前面側に位置する前面図２１には、図１に示すように、投射された光束（画像）を通過させるための通過用開口部２１Ａが形成されている。
また、前面図２１には、前面側から見て通過用開口部２１Ａの左側には、図１に示すように、内部の空気を外部に排出するための排気口２１Ｂが形成されている。
また、排気口２１Ｂには、図１に示すように、左右方向に延び、上下方向に並設された複数の羽根板２１Ｂ２を有する外部ルーバー２１Ｂ１が形成されている。
さらに、外装筐体２において、底面側に位置する底面部２２には、図２に示すように、外部の空気を内部に導入するための吸気口２２Ａが形成されている。
本実施形態では、外装筐体２は、ポリプロピレン、ポリエチレン等の合成樹脂材料で形成された非発泡体で構成されている。
【００１６】
〔プロジェクターの内部構成〕
図３は、プロジェクター１の内部構成を示す斜視図である。具体的に、図３は、アッパーケース２Ａ及び光学ユニット３を取り外した状態を前面上側から見た斜視図である。
そして、上述した外装筐体２内部には、図１または図３に示すように、光学ユニット３（図１）と、吸気装置４（図３）と、排気装置５（図３）とが収納される。
【００１７】
〔光学ユニットの構成〕
光学ユニット３は、種々の一般的なプロジェクターで利用されているため、具体的な図示及び説明は省略するが、光源装置と、前記光源装置から出射された光束を変調する液晶パネル等の光変調装置と、前記光変調装置にて変調された光束を投射する投射光学装置としての投射レンズ３Ａ（図１）とを備える。
【００１８】
〔吸気装置の構成〕
図４ないし図６は、吸気装置４の構成を示す斜視図である。具体的に、図４は、吸気装置４を前面上側から見た斜視図である。図５は、吸気装置４の分解斜視図である。図６は、吸気装置４を前面下側から見た斜視図である。
吸気装置４は、吸気口２２Ａを介して外装筐体２外部の空気を内部に導入し、冷却対象（例えば、光学ユニット３を構成する液晶パネル等）に送風する。
この吸気装置４は、図４ないし図６に示すように、一対の吸気ファン４１，４２と、吸気ダクト４３と、送風ダクト４４とを備える。
【００１９】
一対の吸気ファン４１，４２は、空気を吸い込む吸込口４１Ａ，４２Ａ（図５）、及び空気を吹き出す吹出口４１Ｂ，４２Ｂ（図５）を有し、吸い込んだ空気をファンの回転接線方向に吹き出す、シロッコファンで構成されている。
そして、一対の吸気ファン４１，４２は、図４または図５に示すように、投射レンズ３Ａを挟んで、吸込口４１Ａ，４２Ａ同士が互いに対向し、かつ、吹出口４１Ｂ，４２Ｂが背面側を向くように、配設される。
【００２０】
吸気ダクト４３は、吸気口２２Ａを介して導入された空気を一対の吸気ファン４１，４２の吸込口４１Ａ，４２Ａに導く。
この吸気ダクト４３は、図４ないし図６に示すように、下方側が開口した中空の直方体の上面を投射レンズ３Ａの外形形状に対応させて円弧状に湾曲させた形状となっている。
そして、吸気ダクト４３は、下方側の開口部分４３Ａ（図６）が吸気口２２Ａに接続する。
また、吸気ダクト４３の両側面には、図５または図６に示すように、開口部４３Ｂ，４３Ｃがそれぞれ形成されている。
そして、当該開口部４３Ｂ，４３Ｃには、各吸気ファン４１，４２の各吸込口４１Ａ，４２Ａが接続される。
【００２１】
そして、上記構成により、一対の吸気ファン４１，４２が駆動すると、外装筐体２外部の空気は、吸気口２２Ａを介して吸気ダクト４３に導入される。また、吸気ダクト４３に導入された空気は、吸気ダクト４３内部において、上方側に流通しながら、吸気ダクト４３上面の湾曲部分にて左右に分流され、開口部４３Ｂ，４３Ｃを介して吸気ファン４１，４２に吸い込まれる。
すなわち、吸気ダクト４３内部に形成される空気の流路は、吸気口２２Ａから吸込口４１Ａ，４２Ａまでの間で１度、折れ曲がっている（本実施形態では、略９０°折れ曲がっている）。
【００２２】
送風ダクト４４は、吸気ファン４１，４２から吹き出された空気を冷却対象に導く。
この送風ダクト４４は、図４ないし図６に示すように、第１送風ダクト４４１と、第２送風ダクト４４２とを備える。
なお、本実施形態では、送風ダクト４４は、吸気ダクト４３に一体的に形成されている。
第１送風ダクト４４１は、吸気ファン４１の吹出口４１Ｂに接続し、当該吹出口４１Ｂの接続位置から背面側に向けて延び、さらに、吸気ファン４２の配設側に向けて略９０°折れ曲がった略Ｌ字形状を有する。
そして、第１送風ダクト４４１において、上面には、図４ないし図６に示すように、吸気ファン４１から吹き出された空気を排出し、冷却対象に送風するための排出口４４１Ａが形成されている。
【００２３】
第２送風ダクト４４２は、吸気ファン４２の吹出口４２Ｂに接続し、当該吹出口４２Ｂの接続位置から背面側に向けて延び、さらに、吸気ファン４１の配設側に向けて略９０°折れ曲がった略Ｌ字形状を有する。
そして、第２送風ダクト４４２において、上面には、図４ないし図６に示すように、吸気ファン４２から吹き出された空気を排出し、冷却対象に送風するための排出口４４２Ａ，４４２Ｂが形成されている。
【００２４】
〔排気装置の構成〕
排気装置５は、排気口２１Ｂを介して外装筐体２内部の空気を外部に排出する。
この排気装置５は、図３に示すように、排気ファン５１と、排気ダクト５２と、内部ルーバー５３とを備える。
排気ファン５１は、空気を吸い込む吸込口５１Ａ、及び空気を吹き出す吹出口５１Ｂを有し、吸い込んだ空気をファンの回転軸に沿って吹き出す、軸流ファンで構成されている。
そして、排気ファン５１は、図３に示すように、吹出口５１Ｂが前面側に向き、排気口２１Ｂに対向するように配設される。
【００２５】
排気ダクト５２は、図３に示すように、前後方向に略直線的に延びる筒状に形成され、一端が排気ファン５１の吹出口５１Ｂに接続し、他端が排気口２１Ｂに対向するように配設される。
内部ルーバー５３は、図３に示すように、排気ダクト５２の他端に取り付けられ、排気ダクト５２から排出される空気を整流する。
具体的に、内部ルーバー５３は、排気ダクト５２の延出方向に対して傾斜して取り付けられる複数の羽根板５３Ａを有し、排気ダクト５２から排出される空気を当該複数の羽根板５３Ａの傾斜方向に整流する。
また、内部ルーバー５３は、具体的な図示は省略したが、前面側から見た場合に、複数の羽根板５３Ａにより、排気ダクト５２内部を隠すように形成されている。
すなわち、内部ルーバー５３は、排気ダクト５２を介して排気口２１Ｂに向けて進行する漏れ光を遮光する機能も有している。
【００２６】
以上説明した吸気ダクト４３及び排気ダクト５２は、樹脂発泡体から構成されている。
ここで、樹脂発泡体としては、例えば、ポリプロピレンを原材料とし、加圧発泡法、押出発泡法、常圧発泡法、あるいはビーズ発泡法等の公知の手法により形成された樹脂発泡体や、ポリエチレンを原材料とし、溶融発泡成形等の公知の手法により形成された樹脂発泡体が採用できる。
なお、樹脂発泡体の原材料としては、ポリプロピレンやポリエチレンに限らず、その他の樹脂材料を採用しても構わない。
また、本実施形態では、発泡倍率（非発泡時の比重／発泡時の比重）を適宜調整することで、発泡セル径が1mm以下となるように形成されている。
さらに、本実施形態では、具体的な図示は省略したが、吸気ダクト４３内面、及び排気ダクト５２内面は、微細な凹凸状に形成されている。
さらに、本実施形態では、内部ルーバー５３は、外装筐体２と同様に、ポリプロピレン、ポリエチレン等の合成樹脂材料で形成された非発泡体で構成されている。
【００２７】
上述した実施形態によれば、以下の効果がある。
本実施形態では、吸気ダクト４３が合成樹脂素材に多数の発泡セル（気泡）を含ませた樹脂発泡体で構成されているので、吸気ファン４１，４２の駆動時に生じる音の少なくとも一部は、吸気ダクト４３内面で反射することなく、多数の発泡セルを介して吸気ダクト４３を透過することとなる。
したがって、吸気口２２Ａを介して外装筐体２外部に漏れる音を低減することができ、プロジェクター１の静粛性が図れる。
【００２８】
また、吸気ダクト４３内部の流路が折れ曲がっているため、吸気ファン４１，４２の駆動時に吸込口４１Ａ，４２Ａから吸気ダクト４３内部に放出される音を、吸気ダクト４３内面の多くの領域にあてることが可能となる。
したがって、吸気ダクト４３内部から外部に向う音（吸気口とは別の位置に向う音）を多くすることができ、吸気口２２Ａを介して外装筐体２外部に漏れる音をより低減することができる。
さらに、吸気ダクト４３内面が微細な凹凸状に形成されているので、上記同様に、吸気ダクト４３内部に放出される音を、吸気ダクト４３内面の多くの領域にあてることが可能となり、吸気ダクト４３内部から外部に向う音を多くすることができる。なお、排気ダクト５２も同様である。
【００２９】
また、吸気口２２Ａは、底面部２２に形成されている。そして、各吸気ファン４１，４２は、各吸込口４１Ａ，４２Ａが外装筐体２における底面部２２に交差する各側壁部２３，２４（図１、図３）にそれぞれ向くように配設されている。
すなわち、吸気口２２Ａは、各吸込口４１Ａ，４２Ａに対向する位置からずれた位置に形成されている。
このため、吸気ファン４１，４２の駆動時に吸込口４１Ａ，４２Ａから吸気ダクト４３内部に放出され、吸気ダクト４３を透過した音が吸気口２２Ａに向うことがなく、吸気ダクト４３内部の音を上述したように吸気ダクト４３外部に出すことでプロジェクター１の静粛性が効果的に図れる。
【００３０】
さらに、外装筐体２が非発泡体で構成されているので、吸気ファン４１，４２の駆動時に吸込口４１Ａ，４２Ａから吸気ダクト４３内部に放出され、吸気ダクト４３を透過した音を外装筐体２内面で反射させることができる。
したがって、外装筐体２外部に漏れる音をさらに低減することができ、プロジェクター１の静粛性が効果的に図れる。
【００３１】
また、排気ダクト５２も吸気ダクト４３と同様に樹脂発泡体で構成されているので、上記同様に、排気ファン５１から排気ダクト５２内部に放出された音を排気ダクト５２外部に出すことができ、排気口２１Ｂを介して外装筐体２外部に漏れる音も低減することができる。
したがって、プロジェクター１の静粛性がさらに効果的に図れる。
さらに、排気ダクト５２に取り付けられた内部ルーバー５３が非発泡体で構成されているので、排気ファン５１の駆動時に吹出口５１Ｂから排気ダクト５２内部に放出され、排気口２１Ｂに向う音を内部ルーバー５３で反射させることができる。
したがって、外装筐体２外部に漏れる音をさらに一層低減することができる。
【００３２】
また、吸気ダクト４３及び排気ダクト５２は、発泡セル径が1mm以下となるように形成されている。このことにより、各ダクト４３，５２内部を流通する空気が各ダクト４３，５２外部に漏れることを抑制しつつ、音のみを良好に外部に出すことができる。
【実施例】
【００３３】
次に、本発明の効果を具体的な実施例に基づいて説明する。
[実施例１]
本実施例１では、前記実施形態で説明した構成の排気ダクト５２（樹脂発泡体で構成された排気ダクト）を用いた。
[比較例１]
本比較例１では、前記実施形態で説明した排気ダクト５２と同一形状で、合成樹脂材料で形成された非発泡体で構成された排気ダクト５２０（図７参照）を用いた。
【００３４】
そして、上記実施例１及び比較例１の排気ダクト５２，５２０を以下の評価方法にて評価した。
（評価及び結果）
図７は、実施例１及び比較例１の評価方法を説明するための図である。
評価方法としては、以下の通りである。
先ず、図７に示すように、前記実施形態で説明した外装筐体２と同一形状で、同一材料（非発泡体）で形成されたケース１００を用意した。
このケース１００は、外装筐体２の前面部２１に対応する前面部１０１の略中央部分に内外を連通する開口部１０１Ａを有するものである。
また、ケース１００内部における開口部１０１Ａに対向する位置に、試験用の音源２００を配設した。
【００３５】
さらに、ケース１００外部において、開口部１０１Ａに対向する位置、ケース１００における前面部１０１に交差する左右の各側壁部１０２，１０３の略中央部分にそれぞれ対向する位置、及び前面部１０１に対向する背面部１０４の略中央部分に対向する位置に、音源２００からの音圧を検知する第１〜第４マイクロホンＭ１〜Ｍ４を配設した。
そして、ケース１００内部において、音源２００と開口部１０１Ａとの間に実施例１の排気ダクト５２を配設した場合と、比較例１の排気ダクト５２０を配設した場合とで、音源２００から４０dB，５０dB，６０dBの音圧を発生させた時の第１〜第４マイクロホンＭ１〜Ｍ４で測定された測定音圧を比較した。
結果としては、以下の表１に示す通りである。
【００３６】
【表１】
2012198462.tif 000003
【００３７】
上記表１に示すように、比較例１の排気ダクト５２０を配設した場合よりも、実施例１の排気ダクト５２を配設した場合の方がケース１００外部に漏れる音が少ない結果となった。特に、音源２００の音圧が６０dBである場合に顕著である。
したがって、排気ダクトを樹脂発泡体で構成することで、外部への音の漏れを低減でき、静粛性が図れることが実証された。なお、吸気ダクトを樹脂発泡体で構成しても同様の効果が得られるものと考える。
【００３８】
また、本評価では、具体的な図示は省略したが、実施例１の排気ダクト５２を配設した場合には、比較例１の排気ダクト５２０を配設した場合に比較して、周波数５００Ｈｚ、及び４０００Ｈｚで顕著に外部に漏れる音が低減する結果となった。
なお、各ファン４１，４２，５１の駆動時に生じる音（ファンノイズ）の周波数は、０〜４０００Ｈｚが支配的である。
したがって、本実施形態で示した各ファン４１，４２，５１が搭載されたプロジェクター１に排気ダクト５２や吸気ダクト４１，４２を配設することで、外部に漏れるファンノイズを低減させることができるため、特に効果的である。
【００３９】
なお、本発明は前述の実施形態に限定されるものではなく、本発明の目的を達成できる範囲での変形、改良等は本発明に含まれるものである。
前記実施形態において、吸気ダクト４３及び排気ダクト５２の形状は、前記実施形態で説明した形状に限らない。
例えば、排気ダクト５２は、内部の流路が略直線的に延びるように形成されていたが、これに限らず、吸気ダクト４３と同様に、内部の流路が少なくとも一度、折れ曲がるように形成しても構わない。
前記実施形態において、吸気口２２Ｂ、排気口２１Ｂ、吸気装置４、及び排気装置５の配設位置は、前記実施形態で説明した配設位置に限らず、その他の位置に配設しても構わない。
【産業上の利用可能性】
【００４０】
本発明は、プレゼンテーションやホームシアターに用いられるプロジェクターに利用できる。
【符号の説明】
【００４１】
１・・・プロジェクター、２・・・外装筐体、４・・・吸気装置、５・・・排気装置、２１Ａ・・・排気口、２２Ａ・・・吸気口、４１，４２・・・吸気ファン、４１Ａ，４２Ａ・・・吸込口、４１Ｂ，４２Ｂ・・・吹出口、４３・・・吸気ダクト、５１・・・排気ファン、５１Ａ・・・吸込口、５１Ｂ・・・吹出口、５２・・・排気ダクト、５３・・・内部ルーバー。
【図１】
2012198462.tif 000004
【図２】
2012198462.tif 000005
【図３】
2012198462.tif 000006
【図４】
2012198462.tif 000007
【図５】
2012198462.tif 000008
【図６】
2012198462.tif 000009
【図７】
2012198462.tif 000010